(57)【要約】【課題】  更なる用途を提供し、操作がさらに快適となる収納コンパートメントを提供する。【解決手段】  容積が可変な収納空間（ＳＲ）を有する収納コンパートメントを備える調節装置であって、調節装置（Ｖ）は調節部（１）を備え、調節部（１）は、収納空間（ＳＲ）を画定する壁を形成し、かつ、初期位置と少なくとも１つの調節位置との間で調節可能であり、収納空間（ＳＲ）の容積が調節部（１）の初期位置と調節位置とにおいて異なる調節装置（Ｖ）において、初期位置と調節位置との間で調節部（１）を調節するための、複数のチェーンリンク（２０，３０）を有するリンクチェーン（２Ａ，２Ｂ，３Ａ，３Ｂ）を備え、かつ／または調節部（１）は、調節位置へと調節可能であり、調節位置において、収納空間（ＳＲ）に面する調節部（１）の内側（１Ｂ）と反対側にある外側（１Ａ）が、調節部（１）によって形成されるテーブルの一部として配置面を形成している。【選択図】図１Ｂ
2020505274.tif 000002
【特許請求の範囲】
【請求項１】
収納空間（ＳＲ）を有する収納コンパートメントを備える調節装置であって、前記収納空間（ＳＲ）の容積が可変であり、
前記調節装置（Ｖ）は調節部（１）を備え、前記調節部（１）は、前記収納空間（ＳＲ）を少なくとも部分的に画定する壁を形成し、前記調節部（１）は、少なくとも、初期位置と少なくとも１つの調節位置との間において調節可能であり、前記収納空間（ＳＲ）の前記容積は、前記調節部（１）の前記初期位置と、前記調節部の前記調節位置とにおいて異なる調節装置において、
前記調節装置（Ｖ）は、前記初期位置と、前記少なくとも１つの調節位置との間において前記調節部（１）を調節するために、複数のチェーンリンク（２０，３０）を有する少なくとも１つのリンクチェーン（２Ａ，２Ｂ，３Ａ，３Ｂ）を備えることを特徴とする調節装置。
【請求項２】
請求項１に記載の調節装置において、前記調節部（１）は、前記少なくとも１つのリンクチェーン（２Ａ，２Ｂ，３Ａ，３Ｂ）によって回動可能かつ並進するように調節可能であることを特徴とする調節装置。
【請求項３】
請求項２に記載の調節装置において、前記調節部（１）は、前記初期位置から４５°よりも大きく回動可能、かつ／または、調節方向（＋ｘ）に対して略垂直または正確に垂直に延びる回動軸心を中心として回動可能であり、前記調節部（１）は、さらに、前記調節方向（＋ｘ）に沿って前記初期位置から並進するように調節可能であることを特徴とする調節装置。
【請求項４】
請求項１から３のいずれか一項に記載の調節装置において、前記初期位置において、前記調節部（１）の外側（１Ａ）が、前記収納コンパートメントの外側の視認面を形成していることを特徴とする調節装置。
【請求項５】
請求項１から４のいずれか一項に記載の調節装置において、前記少なくとも１つのリンクチェーン（２Ａ，２Ｂ，３Ａ，３Ｂ）は、少なくとも１つの駆動装置（４Ａ，４Ｂ，５Ａ，５Ｂ）を用いることで外力により調節可能であることを特徴とする調節装置。
【請求項６】
請求項５に記載の調節装置において、前記調節部（１）を前記初期位置から調節するために、前記少なくとも１つのリンクチェーン（２Ａ，２Ｂ，３Ａ，３Ｂ）は、前記駆動装置（４Ａ，４Ｂ，５Ａ，５Ｂ）によって、チェーンハウジング（４０Ａ，４０Ｂ，５０Ａ，５０Ｂ）から少なくとも部分的に展開可能であり、前記リンクチェーン（２Ａ，２Ｂ，３Ａ，３Ｂ）の前記チェーンリンク（２０，３０）が前記チェーンハウジング（４０Ａ，４０Ｂ，５０Ａ，５０Ｂ）内で相対的に変位可能であることにより、前記チェーンハウジング（４０Ａ，４０Ｂ，５０Ａ，５０Ｂ）内にある前記リンクチェーン（２Ａ，２Ｂ，３Ａ，３Ｂ）の部分は柔軟かつ偏向可能であることを特徴とする調節装置。
【請求項７】
請求項６に記載の調節装置において、前記チェーンハウジング（４０Ａ，４０Ｂ，５０Ａ，５０Ｂ）は、前記ガイド（４０Ａ，４０Ｂ，５０Ａ，５０Ｂ）へと移動させるとき、前記リンクチェーン（２Ａ，２Ｂ，３Ａ，３Ｂ）を４５°よりも大きく偏向させるように構成されていることを特徴とする調節装置。
【請求項８】
請求項６または７に記載の調節装置において、前記チェーンハウジング（４０Ａ，４０Ｂ，５０Ａ，５０Ｂ）は、Ｌ字状または螺旋状に構成されていることを特徴とする調節装置。
【請求項９】
請求項６から８のいずれか一項に記載の調節装置において、
前記チェーンハウジング（４０Ａ，４０Ｂ，５０Ａ，５０Ｂ）は、回転軸心（Ｄ１，Ｄ２）を中心として回転可能に取り付けられていることを特徴とする調節装置。
【請求項１０】
請求項１から９のいずれか一項に記載の調節装置において、前記調節装置（Ｖ）は、前記調節部（１）を調節するための複数のリンクチェーン（２Ａ，２Ｂ，３Ａ，３Ｂ）を有することを特徴とする調節装置。
【請求項１１】
請求項１０に記載の調節装置において、少なくとも２つの前記リンクチェーン（２Ａ，２Ｂ，３Ａ，３Ｂ）は互いに独立に調節可能であることにより、前記収納空間（ＳＲ）の前記容積および／または形状が可変であることを特徴とする調節装置。
【請求項１２】
請求項１０または１１に記載の調節装置において、各前記リンクチェーン（２Ａ，２Ｂ，３Ａ，３Ｂ）または一対のリンクチェーン（２Ａ，２Ｂ，３Ａ，３Ｂ）は、前記調節装置（Ｖ）の１つの駆動装置（４Ａ，４Ｂ，５Ａ，５Ｂ）に対して設けられており、各前記リンクチェーン（２Ａ，２Ｂ，３Ａ，３Ｂ）またはリンクチェーンの対（２Ａ，２Ｂ，３Ａ，３Ｂ）は、前記駆動装置（４Ａ，４Ｂ，５Ａ，５Ｂ）を用いることで、外力により調節可能であることを特徴とする調節装置。
【請求項１３】
請求項１０から１２のいずれか一項に記載の調節装置において、前記調節装置（Ｖ）は、前記調節部（１）を調節するために、仮想矩形の４つの頂点のうちの１つにおいて前記調節部（１）にそれぞれ連結された４つのリンクチェーン（２Ａ，２Ｂ，３Ａ，３Ｂ）を備えることを特徴とする調節装置。
【請求項１４】
請求項１０から１３のいずれか一項に記載の調節装置において、前記調節装置（Ｖ）は少なくとも４つのリンクチェーン（２Ａ，２Ｂ，３Ａ，３Ｂ）を備え、前記少なくとも４つのリンクチェーン（２Ａ，２Ｂ，３Ａ，３Ｂ）のうち、２つのリンクチェーン（２Ａ，２Ｂ；３Ａ，３Ｂ；２Ａ，３Ａ；２Ｂ，３Ｂ）は第１の仮想平面に沿って調節可能であり、２つの他のリンクチェーン（３Ａ，３Ｂ；２Ａ，２Ｂ；２Ｂ，３Ｂ；２Ａ，３Ａ）は、前記第１の仮想平面に対して平行に延びる第２の仮想平面に沿って調節可能であることを特徴とする調節装置。
【請求項１５】
請求項１３または１４に記載の調節装置において、前記調節装置（Ｖ）は、前記少なくとも４つのリンクチェーン（２Ａ，２Ｂ，３Ａ，３Ｂ）のための少なくとも２つのチェーンハウジング（４０Ａ，４０Ｂ，５０Ａ，５０Ｂ）を備え、前記少なくとも２つのチェーンハウジング（４０Ａ，４０Ｂ，５０Ａ，５０Ｂ）は、互いに重ねて配置され、具体的には、前記調節部（１）が並進により調節可能である空間軸（ｘ）に対して略垂直または正確に垂直に延びる空間軸（ｚ）に沿って配置されていることを特徴とする調節装置。
【請求項１６】
請求項１０から１５のいずれか一項に記載の調節装置において、前記調節装置（Ｖ）は、前記複数のリンクチェーン（２Ａ，２Ｂ，３Ａ，３Ｂ）のための複数のチェーンハウジング（４０Ａ，４０Ｂ，５０Ａ，５０Ｂ）を備え、少なくとも１つのチェーンハウジング（４０Ａ，５０Ｂ）は、少なくとも部分的に、他のチェーンハウジング（４０Ｂ，５０Ａ）を中心として延在することを特徴とする調節装置。
【請求項１７】
請求項１から１６のいずれか一項に記載の調節装置において、前記調節部（１）は、巻き取り可能かつ／または折り畳み可能な少なくとも１つの柔軟な側部（Ｓ１，Ｓ１）に連結されており、前記側部は、前記収納空間（ＳＲ）を画定する更なる壁を形成していることを特徴とする調節装置。
【請求項１８】
請求項１から１７のいずれか一項に記載の調節装置において、前記調節装置（Ｖ）はセンサ装置（ＳＥ）を有しており、前記センサ装置によって、前記調節部（１）の調節を非接触で制御可能であることを特徴とする調節装置。
【請求項１９】
請求項１８に記載の調節装置において、前記センサ装置（ＳＥ）は少なくとも１つのセンサ要素（９Ａ）を有し、前記センサ要素（９ａ）により、ユーザは、前記調節部（１）の調節を非接触で制御可能であり、かつ／または、前記センサ装置（ＳＥ）は少なくとも１つのセンサ要素（９Ｂ）を有し、前記センサ要素（９Ｂ）により、前記収納空間（ＳＲ）の収容状態に応じて、前記調節部（１）の調節を自動的に制御可能であることを特徴とする調節装置。
【請求項２０】
請求項１から１９のいずれか一項に記載の調節装置において、前記収納空間（ＳＲ）にインサートが配置されており、前記インサートは、前記調節装置（Ｖ）から取り外し可能であり、かつ搬送容器として前記調節装置とは別体に使用可能であることを特徴とする調節装置。
【請求項２１】
請求項２０に記載の調節装置において、前記調節装置（Ｖ）は保持装置を備え、前記インサートが前記調節装置（Ｖ）に適宜に配置されたとき、前記インサートは、前記保持装置によって、前記調節装置（Ｖ）において自動的に固定かつ／またはセンタリングされることを特徴とする調節装置。
【請求項２２】
請求項２０または２１に記載の調節装置において、前記調節部（１）および／または前記少なくとも１つのリンクチェーン（２Ａ，２Ｂ，３Ａ，３Ｂ）は、前記インサートの一部であることを特徴とする調節装置。
【請求項２３】
特に、請求項１から２２のいずれか一項に記載されるように、収納空間（ＳＲ）を有する収納コンパートメントを備える調節装置であって、前記収納空間（ＳＲ）の容積が可変であり、
前記調節装置（Ｖ）は調節部（１）を備え、前記調節部（１）は、前記収納空間（ＳＲ）を少なくとも部分的に画定する壁を形成し、前記調節部（１）は、少なくとも、初期位置と少なくとも１つの調節位置との間において調節可能であり、前記収納空間（ＳＲ）の前記容積は、前記調節部（１）の前記初期位置と、前記調節部の前記調節位置とにおいて異なる調節装置において、
前記調節部（１）は、調節位置へと調節可能であり、前記調節位置において、前記収納空間（ＳＲ）に面する前記調節部（１）の内側（１Ｂ）とは反対側にある前記調節部（１）の外側（１Ａ）が、前記調節部（１）によって形成されるテーブルの一部として配置面を形成していることを特徴とする調節装置。
【請求項２４】
請求項２３に記載の調節装置において、前記調節部（１）はプレート状であることを特徴とする調節装置。
【発明の詳細な説明】
【技術分野】
【０００１】
本発明は、収納空間を有する収納コンパートメントを備える調節装置であって、前記収納空間の容積が可変である装置に関する。
【背景技術】
【０００２】
収納コンパートメントを使用することは、特に自動車業界において広く知られている。この形式の収納コンパートメントは、例えば、自動車のダッシュボードまたは中央コンソールの領域に設けられる。通常、収納コンパートメントによって提供される収納空間は変えることができない。むしろ、一般的に回動可能なカバーまたは後部フラップを用いてアクセスできる一定の容積が提供される。通常、この形式の収納コンパートメントは、比較的小さい物を収容するために設けられる。
【０００３】
実際には、回動可能なカバーまたはフラップの内側に配置面を構成し、フラップまたはカバーを開けたときにボトル用またはカップ用のホルダが提供されるようにすることも知られている。
【発明の概要】
【発明が解決しようとする課題】
【０００４】
しかし、更なる用途を提供し、かつ／または操作がさらに快適となった収納コンパートメントが求められている。
【課題を解決するための手段】
【０００５】
この課題は、請求項１に記載の調節装置、および請求項２３に記載の調節装置によって達成される。
【０００６】
よって、収納空間を有する収納コンパートメントを備える調節装置であって、前記収納空間の容積が可変である調節装置を提案する。前記調節装置は調節部を備え、前記調節部は、前記収納空間を少なくとも部分的に画定する壁を形成し、前記調節部は、少なくとも、初期位置と少なくとも１つの調節位置との間において調節可能であり、物品を収容するために使用可能な前記収納空間の前記容積は、前記調節部の前記初期位置と、前記調節部の前記調節位置とにおいて異なる。ここで、通常、前記調節部の前記初期位置において提供される容積は、前記調節部の前記少なくとも１つの付加的な調節位置における容積よりも小さい。前記調節装置は、前記初期位置と、前記少なくとも１つの調節位置との間において前記調節部を調節するために、複数のチェーンリンクを有する少なくとも１つのリンクチェーンを備える。
【０００７】
リンクチェーンを有する前記調節装置により、快適かつ極めて可変的に前記調節部を調節して、前記収納空間の容積を変えることできる。また、それだけでなく、前記調節部を調節するために少なくとも１つのリンクチェーンを使用することにより、前記調節装置（したがって、前記収納コンパートメント）を比較的コンパクトな設計とすることも可能である。
【０００８】
このため、前記少なくとも１つのリンクチェーンは複数のチェーンリンクを有し、非展開状態において、前記複数のチェーンリンクが相対的に変位可能であることにより、前記リンクチェーンの非展開部分が柔軟となる。展開状態において、前記チェーンリンクは互いに制止するように当接するので、前記リンクチェーンの展開部分が剛化され、前記調節部が所望の調節位置に保持される。これにより、前記調節部は、前記少なくとも１つのリンクチェーンの展開部分によって強固に保持されるので、前記収納コンパートメントの前記収納空間の変更後の容積が変化しないように定められる。このとき、前記収納空間は前記調節部によって閉止することができるが、こうした構成は必須ではない。前記収納空間を閉止するために、個別に調節可能（特に、回動可能かつ／または変位可能）なカバーまたはフラップを付加的に設けることも可能である。この変形例において、少なくとも１つのリンクチェーンによって調節可能な前記調節部は、特に、前記収納空間の可変容積を形成し、任意で、前記収納空間の内部にアクセス可能とするアクセス開口をさらに形成する。この場合、前記アクセス開口は、別体のカバーまたは別体のフラップによって閉止することができる。
【０００９】
前記少なくとも１つのリンクチェーンが設けられる場合、各チェーンリンクを互いに締結することで、前記リンクチェーンの一部を展開したとき、前記チェーンリンクを互いに制止するように当接させて、前記リンクチェーンの展開部分を固定することが可能である。前記チェーンリンクを互いに締結するために、例えば緊張装置を設けてもよく、前記緊張装置は、特に、少なくとも１つの細長い緊張手段（例えば、緊張ストラップまたは緊張ケーブルなど）を有していてもよい。この緊張手段は、例えば、前記リンクチェーンの各チェーンリンクに沿って延び、任意で前記チェーンリンクを貫通して前記チェーンリンクを互いに締結する。
【００１０】
代替的または付加的に、各チェーンリンクは、展開時に互いに制止するように係止され、かつ格納時に再び係止が解除されるように係止装置を備えていてもよい。これにより、前記リンクチェーンは、展開部分によって固定され、かつ、格納状態においては、相対的に変位可能なチェーンリンクにより柔軟となる。
【００１１】
前記調節装置の実施形態の一変形例において、前記調節部は、前記少なくとも１つのリンクチェーンによって回動可能かつ並進するように調節可能である。このとき、特に、前記調節部は、前記初期位置から少なくとも１つの第１調節位置へと並進するように調節可能であり、また、回動軸心を中心として回動させることで、前記第１調節位置とは異なる少なくとも１つの第２調節位置へと調節可能であるように構成することができる。ここで、回動動作と並進動作を重畳的に行うことで、前記調節部は、前記第１および第２調節位置のうちの少なくとも一方をとることができる。一改良例において、回動動作および（直線状に延びる調節軸心に沿った）並進調整動作はいずれも前記少なくとも１つのリンクチェーンによって制御可能かつ駆動可能である。
【００１２】
例えば、前記調節部は、前記初期位置から４５°よりも大きく回動可能である。例えば、このとき、望ましくは≧４５°の大きな回動範囲とすることにより、前記収納空間の容積を可変に適合させることが可能である。また、これにより、前記収納空間の構造または形状についても、前記調節部を回動させることによって比較的柔軟に適合させることが可能である。
【００１３】
代替的または付加的に、前記調節部は、調節方向に対して略垂直または正確に垂直に延びる回動軸心を中心として回動可能であり、前記調節部は、同様に、この調節方向に沿って前記初期位置から並進するように調節可能である。よって、この変形例において、前記調節部は、前記少なくとも１つのリンクチェーンによって調節方向に沿って位置変更が可能であり、また同時に、前記調節方向に対して略垂直または正確に垂直に延びる調節軸心を中心として回動可能である。このことによっても、より柔軟に、前記収納空間の容積を可変に適合させることができる。
【００１４】
実施形態の一変形例において、前記初期位置において、前記調節部はその外側により、前記収納コンパートメントの外側の視認面を形成している。このとき、例えば、前記調節部は前記収納コンパートメントの前面を構成しており、この前面は、前記収納コンパートメントの収納空間の容積を可変に適合できるようにするために、前記リンクチェーンにより調節可能（特に、並進により調節可能かつ／または回動可能）である。収納空間の容積は、例えば前記収納空間の収容状態に応じて自動的に、かつ／またはユーザによる制御によって適合させることができる。
【００１５】
特に、操作の容易性を高める観点から、前記少なくとも１つのリンクチェーンは、前記調節装置の少なくとも１つの駆動装置を用いることで外力により調節可能である。このため、前記駆動装置は、前記リンクチェーンを少なくとも部分的に格納および展開することで前記調節部を調節するために、例えば、油圧式、空気式、および／または電動式の駆動部を有する。前記少なくとも１つの駆動部から前記リンクチェーンに力を伝達するために、前記駆動装置は、例えば、ラック・アンド・ピニオン式駆動部、ウォームギヤ機構、スピンドル式駆動部、またはケーブルプルなどの牽引手段もしくは（スラストを受けた場合に剛化する）ケーブルなどのスラスト手段をさらに備えていてもよい。
【００１６】
実施形態の一変形例において、前記駆動装置は、駆動入力トルクを駆動出力トルクとして伝達するギヤ機構を備え、このギヤ機構により、前記少なくとも１つのリンクチェーンのチェーンリンクは、チェーンハウジングから展開され、チェーンハウジングに格納される。この場合、前記リンクチェーンのチェーンリンクへの前記駆動入力トルクの伝達は、例えば、チェーンリンクに形成された歯状部によって行われる。スピンドル式駆動部の場合、例えば、このスピンドル式駆動部のスピンドルにおけるスピンドルナットがスピンドル軸心に沿って長手方向に移動されることにより、スピンドルナットに連結された（駆動）チェーンリンクをガイドに沿って調節することで前記少なくとも１つのリンクチェーンの格納および展開を行う。牽引手段またはスラスト手段を使用する場合、例えば、前記牽引手段またはスラスト手段によって、当該牽引手段またはスラスト手段が連結されている前記少なくとも１つのリンクチェーンの最後の（端部）チェーンリンクへと調節力を伝達することで、前記少なくとも１つのリンクチェーンにおける他方の展開可能な端部（当該端部は前記調節部に連結されている）を格納および展開を行うことが可能である。
【００１７】
実施形態の一変形例において、前記駆動部および／または前記リンクチェーンは、駆動装置の共通のモータ式駆動部によって前記調節装置の少なくとも２つのリンクチェーンを（任意で同期させて）駆動できるように、互いに結合されていてもよい。したがって、このような変形例において、前記調節部を調節して前記収納空間の容積を変化させるために、前記駆動装置の共通の駆動部によって格納および／または展開できる少なくとも２つのリンクチェーンが設けられる。例えば、共通のモータ式駆動部によってリンクチェーンを駆動できるように、空間的に離間したリンクチェーンは、例えば、シャフト（特に、フレキシブルシャフト）および／またはベルトなどの機械的な結合部材によって結合される。
【００１８】
実施形態の一変形例では、各場合において、前記調節部を調節するために、複数のリンクチェーンの各リンクチェーンに対して個別にモータ式駆動部が設けられる。ここで、このモータ式駆動部を互いに独立で作動させて、それぞれ１つのリンクチェーンに連結されている前記調節部の各部分を異なるように調節することによって、さらに前記収納空間の形状を変えることもできる。本実施形態の代替的な変形例では、２つのリンクチェーンを調節するためにそれぞれ１つのモータ式駆動部が設けられる。
【００１９】
前記調節装置は、前記少なくとも１つのリンクチェーンを案内しかつ収容するために、特に、前記調節部の初期位置にチェーンハウジングを備えていてもよい。前記少なくとも１つのリンクチェーンは、駆動装置によって前記チェーンハウジングから少なくとも部分的に展開して、前記調節部をその初期位置から少なくとも１つの調節位置へと調節することができる。このとき、前記リンクチェーンの前記チェーンリンクが前記チェーンハウジング内で相対的に変位可能であることにより、前記チェーンハウジング内にある前記リンクチェーンの部分は柔軟かつ偏向可能である。これにより、前記リンクチェーンを省スペース化して収容することができ、かつ、前記収納コンパートメントがさらに可変的であるにもかかわらず、前記収納コンパートメントの構造を全体的にコンパクトにすることができる。
【００２０】
前記チェーンハウジング内の前記リンクチェーンは、１回以上偏向させることができ、任意で異なる空間方向に偏向させることもできる。例えば、一変形例では、前記チェーンハウジングは、格納時に、前記リンクチェーンを４５°よりも大きく偏向させるように構成されている。この構成には、特に６０°よりも大きく偏向させることが含まれ、例えば８０°から１００°の範囲で、特に約９０°偏向させることが含まれる。
【００２１】
実施形態の一変形例において、前記調節部がその初期位置にあるとき、前記リンクチェーンの少なくとも一部を収容するために設けられた前記チェーンハウジングは、Ｌ字状または螺旋状に構成されている。したがって、チェーンハウジングがＬ字状に構成されている場合、前記リンクチェーンは、当該リンクチェーンを前記チェーンハウジングから展開できる展開方向に対して約９０°偏向されている。チェーンハウジングが螺旋状に（すなわち、スパイラル線に従うように）構成されている場合、螺旋状に構成された各チェーンハウジングを互いに絡み合うように設けることで、複数のチェーンハウジングを使用する際に必要となる設置スペースをさらに低減させることができる。
【００２２】
実施形態の一変形例において、前記チェーンハウジング全体を、回転軸心を中心として回転可能となるように取り付けることができる。これには、特に、前記駆動装置が、前記チェーンハウジングおよび前記モータ式駆動部と共に回転軸心を中心として回転可能に取り付けられている変形例も含まれる。前記チェーンハウジングが回転可能であることにより、前記少なくとも１つのリンクチェーンの展開方向を可変として、特に、リンクチェーンを展開することによって前記調節部の回動動作を生じさせることも可能である。このような構成は、例えば、一変形例において、前記調節部が当該調節部によって形成されるテーブルの一部として配置面を形成する調節位置に前記調節部を配置できるようにするために設けられる。これにより、前記調節部によって前記収納コンパートメントに付加的な機能が一体化され、前記収納コンパートメントは、必要な場合にテーブルを提供することもできる。このとき、例えば、前記調節部は、前記初期位置から複数の異なる（第１）調節位置へと調節可能であり、これらの調節位置において、前記収納コンパートメントの収納空間は、予め設定された大きさの異なる容積を有する。また、前記調節部は、テーブル位置と称される少なくとも１つの更なる（第２）調節位置へと調節可能であってもよい。前記少なくとも１つの更なる調節位置では、前記調節部によってテーブルの一部として配置面が形成される。前記テーブルは、前記第１調節位置において、前記収納空間を異なる容積とするように使用することはできない。
【００２３】
これに基づく一改良例において、前記調節部は（第２）調節位置へと調節可能であり、この調節位置において、前記収納空間に面する前記調節部の内側とは反対側にある前記調節部の外側は、前記調節部によって形成される前記テーブルの前記配置面を形成している。
【００２４】
実施形態の一変形例において、この場合、前記調節部によってその外側に形成される前記テーブルは、配置面に対して立ち上がるように突出して前記テーブルの上に配置された物品が前記配置面から滑り落ちないようにする制止要素を備えていてもよい。一変形例において、前記制止要素は、前記調節部に設けられた周縁片によって構成することができる。このような周縁片は、例えば、前記調節部のテーブル位置においてのみ前記調節部の外側へと前記前記周縁片を折り畳むことができるように、前記調節部に折り畳み可能に取り付けてもよい。基本的に、（特に、折り畳み可能な周縁片の形態の）複数の制止要素を前記調節部に設けてもよい。
【００２５】
代替的または付加的に、前記調節部には、前記調節部のテーブル位置において前記配置面に対して凹んだ凹部を設けてもよい。このような凹部は、例えば、内部に物品を収容することができる凹所または溝を前記配置面に形成してもよい。
【００２６】
上記で既に説明したように、実施形態の一変形例において、前記調節部を調節するために複数のリンクチェーンを設けてもよい。例えば前記収納コンパートメントのプレート状の前面である前記調節部を調節するために、例えば、前記リンクチェーンのうちの少なくとも２つを互いに独立に調節して、前記収納空間の容積および／または形状を変化させることができる。この場合、前記２つのリンクチェーンは、例えば、互いに独立に前記チェーンハウジングから展開し、前記チェーンハウジングに格納することができる。ここで、前記２つのチェーンリンクは、前記調節部がその初期位置にあるとき、当該２つのチェーンリンクが共に収容される共通のチェーンハウジングを備えていてもよい。あるいは、前記２つのリンクチェーンを２つの異なるチェーンハウジングに格納し、２つの異なるチェーンハウジングから展開することも同様に可能である。
【００２７】
各前記リンクチェーンまたは一対のリンクチェーンに対して駆動装置を設けてもよく、前記駆動装置を用いることで、各前記リンクチェーンまたはリンクチェーンの対を外力により調節することができる。例えば、前記調節装置は、前記調節部を調節するために４つのリンクチェーンを備えていてもよく、これらのリンクチェーンは、それぞれ前記調節部に連結されており、かつ、モータ式駆動部をそれぞれ１つ備える１つの駆動装置または複数の駆動装置を用いることで外力により調節可能である。
【００２８】
例えば、前記調節装置は、前記調節部を調節するために、仮想矩形の４つの頂点のうちの１つにおいてそれぞれ前記調節部に連結された４つのリンクチェーンを備える。異なるリンクチェーンを用いた前記調節部の調節は、４つのリンクチェーンが仮想矩形の４つの頂点において前記調節部に作用することにより、極めて柔軟である。したがって、４つの頂点の領域における前記調節部の異なる部分を、前記初期位置に対して異なる程度変位させ、かつ互いに対して調節することによって、前記収納空間の容積および／または形状を変化させることが可能である。これにより、例えば、前記調節部は、２つのリンクチェーンを（大きく）展開させつつ、他の２つのリンクチェーンを静止させておくか、より小さく展開させることによって、所望するように容易に回動させることができる。これにより、前記収納空間の内壁が前記調節部によって形成されている場合、前記収納空間の容積だけでなく、その基本的な構造的形状も変化させることができる。
【００２９】
仮想矩形の４つの頂点において前記４つのリンクチェーンを前記調節部に連結することに代えて、またはそれに加えて、特に、互いに同期させて又は同期させずに、２つのリンクチェーンを第１の仮想平面に沿って調節可能とし、他のリンクチェーンを、前記第１の仮想平面に対して平行に延びる第２の仮想平面に沿って調節可能とすることができる。よって、この実施形態の変形例において、展開された前記リンクチェーンは、対として互いに平行に延びている。これにより、例えば、前記調節部の様々な調節動作を定め、特に、４つのリンクチェーンによって前記調節部の回動動作を生じさせることができる。したがって、この場合、前記調節部の回動軸心は、前記第１および第２の仮想平面のうちの一方の平面上にあってもよい。
【００３０】
少なくとも４つまたは正確に４つのリンクチェーンを有する調節装置の場合、この調節装置は、少なくとも２つのチェーンハウジングを備えていてもよく、これらのチェーンハウジングは、例えば対として、互いに重ねて配置され、具体的には、前記調節部が並進により調節可能である空間軸に対して略垂直または正確に垂直に延びる空間軸に沿って配置される。例えば、前記収納コンパートメントを有する前記調節装置が、用途に応じて、前記調節部が実質的に水平方向に沿って調整されるように設置された場合、各リンクチェーンのチェーンハウジングは上下方向に沿って互いに重ねて配置されている。
【００３１】
代替的または付加的に、実施形態の一変形例において、前記チェーンハウジングをコンパクトに収容するために、少なくとも１つのリンクチェーンの少なくとも１つのチェーンハウジングが、少なくとも部分的に、他のリンクチェーンの他のチェーンハウジングを中心として延在してもよい。よって、この場合、１つのチェーンハウジングは、他のチェーンハウジングを少なくとも部分的に囲み、かつ当該他のチェーンハウジングの外形に沿って延在している。また、前記２つのチェーンハウジングは、部分的に互いに傾斜を有するように延びていてもよい。
【００３２】
基本的に、前記調節部は、調節方向の支持体に対して調節可能であってもよい。この支持体は前記収納空間の後壁を形成し、かつ／または、前記調節装置の駆動装置がこの支持体に保持されている。実施形態の一変形例において、前記支持体は少なくとも１つの展開開口を有し、この展開開口から前記少なくとも１つのリンクチェーンを展開して、前記調節部をその初期位置から調節することができる。したがって、リンクチェーンの展開方向からみて、前記支持体は前記リンクチェーンのチェーンハウジングの前に配置されており、前記リンクチェーンは、格納時に、前記展開開口を介して前記支持体の後ろにある前記チェーンハウジングに進入する。
【００３３】
前記支持体は、特に、複数の異なるリンクチェーンのための複数の展開開口を有する板状部品であってもよい。前記展開開口は空間的に互いにずれている。
【００３４】
実施形態の一変形例において、前記調節部は、巻き取り可能かつ／または折り畳み可能な少なくとも１つの柔軟な側部に連結されており、前記側部は、前記収納空間を画定する更なる壁を形成している。したがって、前記収納空間の複数の壁のうちの１つが、調節可能な前記調節部によって形成され、他の壁が、巻き取り可能かつ／または折り畳み可能な柔軟な側部によって形成される。例えば、前記調節部は、前記収納空間の調節可能な前側部または前壁を形成しており、かつ、巻き取り可能かつ／または折りたたみ可能な、互いに対向する２つの柔軟な側部に連結されている。したがって、前記調節部を前記初期位置から調節する場合、各側部を延伸し、巻き取りもしくは巻き出し、および／または広げることで、前記収納空間の容積を増大させることが可能である。前記調節部を調節位置から前記初期位置の方向に調節し直す場合には、再度、各側部を圧縮し、巻き取り、かつ／または折り畳むもしくは広げることで、前記収納空間の容積を再度小さくする。前記調節部に連結された側部は、例えば、伸縮可能な布帛（特に、ストレッチ布帛）またはゴム材料から形成することが可能である。代替的または付加的に、前記側部は、ローラブラインド若しくはベローズとして設計してもよいし、互いに重ねて折り畳まれるラメラを有するものとしてもよい。実施形態の考え得る一変形例において、前記収納空間を形成する前記調節装置の側部は、上記の変形例の少なくとも２つを組み合わせたものであってもよい。
【００３５】
操作の容易性を高めるために、前記調節装置はセンサ装置を有していてもよく、前記センサ装置により、前記調節部の調節は非接触で制御可能である。例えば、前記センサ装置は少なくとも１つのセンサ要素を有し、前記センサ要素により、ユーザは、前記調節部の調節を非接触で制御することができる。よって、センサ要素は、例えば容量型センサを備えていてもよく、この容量型センサにより、当該センサ要素の領域においてユーザが行うジェスチャを、前記調節部を調節するための操作挙動として検出することができる。
【００３６】
代替的または付加的に、前記センサ装置は、少なくとも１つの（更なる）センサ要素を有していてもよく、前記センサ要素により、前記収納空間の収容状態に応じて、前記調節部の調節を自動的に制御することができる。上記のとおり、ユーザによる制御のために少なくとも１つのセンサ要素を有する変形例では、前記調節部を調節するために、ユーザが意図的に操作挙動を行うことが必要であるのに対し、最後に述べた実施例の場合は、前記調節部の調節が自動的に行われる。例えば、前記収納空間に収容された物品の重量および／またはサイズが、前記少なくとも１つのセンサ要素によって特定され、前記収納空間の容積の適合が自動的に行われる。例えば、前記センサにより、前記収納空間に収容された物品の重量および／またはサイズが、記録されている閾値を超えると検出された場合、（閾値を超えている程度に応じて）特定の定められた手段によって前記調節部を調節することにより、自動的に前記容積が大きくなる。代替的または付加的に、前記センサ装置によって、前記収納空間の容積を自動的に小さくすることができる。この場合、前記収納空間に収容された物品の重量および／または体積が、記録された所定の（より低い）閾値未満である場合、（好ましくは、前記初期位置の方向に）前記調節部を調節することによって、前記収納空間の容積は自動的に小さくなる。これにより、例えば、前記収納コンパートメントの収容状態に応じて前記収納コンパートメントの収納空間を可変的に適合させることができ、また、前記収納空間は、直ちに必要とされる大きさよりも大きくならない。
【００３７】
基本的に、前記調節部を調節するためにユーザが行うジェスチャ形式の操作挙動および前記収納空間の収容状態を検出することができるセンサ要素を設けることも可能である。この場合、前記センサ要素は異なる操作モードで動作させることができ、例えば、第１の操作モードではジェスチャによって制御し、第２の操作モードでは収容状態に応じて前記調節部を自動的に調節するように使用することが可能である。これらの異なる操作モードは、例えば、前記調節部の位置に応じたモードである。
【００３８】
一変形例において、前記調節装置から取り外し可能であり、かつ前記調節装置とは別体で搬送容器として使用可能であるインサートが設けられる。この形式のインサートは、例えば、前記調節装置に固定することができるポーチまたはバッグとして設計されており、収納コンパートメントを開けたとき、前記収納空間はこのインサートによって少なくとも部分的または全体的に形成される。したがって、前記インサートは、その内部に収容された物品と共に前記収納コンパートメントから取り出し、また、用途に応じて、再度その内容物と共に前記収納コンパートメントに固定することができる。
【００３９】
前記調節装置は、前記インサートを前記収納コンパートメントに適宜に配置するために保持装置を備えていてもよく、前記インサートは、前記保持装置により、前記調節装置において自動的に固定かつ／またはセンタリングされる。この場合、前記インサートは、当該インサートが前記調節装置に配置されたとき、前記保持装置によって、適宜、定位置に固定かつ／または定位置へと移動される。このため、前記保持装置は、例えば、前記インサートに取り付けられた磁石と相互作用する磁石を備えていてもよい。前記保持装置の部品は、例えば対応する磁石などであり、特に、前記調節部に配置することができる。
【００４０】
実施形態の一変形例において、前記調節部は前記インサートの一部であってもよく、かつ／または前記少なくとも１つのリンクチェーンは前記インサートの一部であってもよい。したがって、前記調節部および／または前記少なくとも１つのリンクチェーンは、前記インサートと共に取り出すことができるように設計してもよい。一変形例において、代替的または付加的に、前記調節装置の機械部品だけでなく、任意で、例えば前記センサ装置の部品（特に、ジェスチャによって前記調節部を制御するためのセンサ要素または複数のセンサ要素）などの対応する電子部品も、前記インサートと共に前記収納コンパートメントから取り出すことができる。
【００４１】
これに基づく一改良例において、前記調節装置を有する前記収納コンパートメントは、例えば、インターフェースにより車両内の取り付け位置に着脱可能に固定することができる収納コンパートメントモジュールまたは調節部モジュールの形態の可動ユニットとして構成されている。このような取り付け位置は、例えば、積載空間もしくはトランク、中央コンソール、車両シート、または車両ドアに設けてもよい。これにより、前記調節装置を含む前記収納コンパートメントモジュールを取り付け位置に固定し、かつ必要な場合に完全に取り出すことができる。前記収納コンパートメントモジュールは、その後、例えば、車両から離れた（ドッキングステーションのような）モジュールステーションに取り付けることができる。前記収納モジュール用の電源を前記モジュールステーションに設けることで、前記モジュールステーションでも、したがって車両に搭載されていない状態でも、前記収納コンパートメントモジュールを外力により開閉することができる。この変形例において、例えば、ユーザは、前記収納コンパートメントモジュールを車両から外して家に持って帰り、家に設置されたモジュールステーションに前記収納モジュールのプラグを差し込むことができる。このモジュールステーションでは、前記収納コンパートメントは、前記収納コンパートメントモジュールの前記調節装置の電動モータを用いることで外力により再び開閉することができる。例えば、前記モジュールステーションは、例えば平面に設置されるように構成してもよく、かつ／または壁掛具を用いて壁に取り付けるように構成してもよい。
【００４２】
提案する解決手段の更なる態様は、調節部を有する収納コンパートメントであって、前記調節部は、当該収納コンパートメントの収納空間の容積を変更するために調節可能であるだけでなく、付加的な機能を提供することにより、多機能部品として設計されている収納コンパートメントの提供に関する。この点について、上記で既に説明したように、前記調節部は、その初期位置から調節位置（テーブル位置）へとも調節可能である。この調節位置において、前記収納空間に面する前記調節部の内側とは反対側にある当該調節部の外側が、調節部によって形成されるテーブルの一部として配置面を形成している。したがって、基本的に、前記調節部によって異なる機能が実現される。前記調節部は、一方では前記収納空間の可変的（つまり調節可能）な容積を画定するように機能し、他方では前記テーブルの配置面を予め形成するように機能する。前記調節部が有するこの付加的な機能性は、前記調節部を調節するために少なくとも１つのリンクチェーンを使用することとは独立である。
【００４３】
当然ながら、前記調節部は、少なくとも１つのリンクチェーンを用いて調節することも可能である。これにより、この点について上述した変形および構成は、テーブル位置へと調節可能である調節部を有する調節装置と組み合わせることも可能である。
【００４４】
前記調節部は、基本的に、プレート状に構成することができる。例えば、前記調節部は、前記収納コンパートメントのフロントプレートを形成している。このフロントプレートは、当該フロントプレートが初期位置にあるとき、その外側によって前記収納コンパートメントにおける外側の視認できる視認面を形成している。前記前側は、さらに、前記フロントプレートのテーブル位置において、フロントプレートによって形成されるテーブルの配置面も形成している。このため、実施形態の一変形例において、フロントプレートは、少なくとも１つのリンクチェーンによって、対応するテーブル位置へと回動可能に構成することができる。
【００４５】
基本的に、前記調節装置は照明装置を備えていてもよい。少なくとも１つの照明要素（例えば、ＬＥＤまたはＯＬＥＤなど）を備える前記照明装置を用いることにより、前記収納空間はその内部を照らすことができ、かつ／または前記配置面は前記調節部のテーブル位置において照らすことができるものであってもよい。
【００４６】
添付の図面には、提案される解決手段の実施形態について、考え得る変形例が例示的に図示されている。
【図面の簡単な説明】
【００４７】
【図１Ａ】本発明に係る車両の収納コンパートメントを備える調節装置の例示的な実施形態の図であって、収納コンパートメントの側部が図示された図である。
【図１Ｂ】本発明に係る車両の収納コンパートメントを備える調節装置の例示的な実施形態の図であって、収納コンパートメントの側部が図示されていない図である。
【図２Ａ】フロントプレートによって形成される調節部をテーブル位置に有する調節装置の図であって、右側部が図示された図である。
【図２Ｂ】フロントプレートによって形成される調節部をテーブル位置に有する調節装置の図であって、右側部が図示されていない図である。
【図３】調節部を初期位置に有する調節装置の図である。
【図４】調節装置の調節部を調節するために関連付けられたリンクチェーンを有する調節装置の２つの駆動装置を示す斜視図である。
【図５】調節装置の２つの駆動装置を示す平面図である。
【発明を実施するための形態】
【００４８】
図１Ａから図１Ｂ、図２Ａから図２Ｂ、および図３には、車両用の収納コンパートメントを備える調節装置Ｖが、様々な視点から、また調節可能なフロントプレート１として構成された調節装置Ｖの調節部の位置を変えた状態で示されている。ここで、調節装置Ｖは、予め組み立てられ機能する状態で、自動車のダッシュボードに設けられた設置スペースに取り付けることができる収納コンパートメントまたは調節モジュールとして構成することができる。一変形例において、調節装置Ｖは、自動車のトランク、中央コンソール、車両シート（例えば、車両シートの側部領域、後壁、もしくは座面クッションの下）、または（例えば、ドアモジュールの一部として）車両ドアに取り付けられる。
【００４９】
調節装置Ｖは、収納コンパートメントの収納空間ＳＲを形成しており、その容積は、調節可能なフロントプレート１によって可変的に設定することができる。このとき、フロントプレート１は、当接プレートＬの形態である調節装置Ｖの支持部とは反対側にある。この支持体は、収納空間ＳＲの後壁を形成している。収納空間ＳＲの側壁の一方をそれぞれ形成している互いに対向する２つの側部Ｓ１およびＳ２は、当接プレートＬとフロントプレート１との間を延びている。側部Ｓ１またはＳ２によって形成される収納空間ＳＲの側壁の長さは、側部Ｓ１およびＳ２のそれぞれが柔軟かつ折り畳み可能に（例えばベローズ状に）構成されていることにより、特にフロントプレート１を調整することによって変化させることができる。図示された実施形態の変形例において、フロントプレート１は、調節軸心または空間軸ｘに沿った展開または調節方向ｘに沿って、特に、当接プレートＬに対して並進するように調節可能であり、かつ空間軸ｘに対して垂直に延びる回動軸心を中心として（空間軸ｙと平行な軸心を中心として）回動可能である。これにより、収納空間ＳＲの容積だけでなく、その形状も可変的に適合させることができる。例えば、図１Ａおよび図１Ｂの収納空間ＳＲは、当接プレートＬに対して傾斜するように設けられたフロントプレート１により楔形または漏斗形となっており、上底側により大きな面積を有して、収納空間ＳＲに物品を入れるためのアクセス開口を形成している。しかし、収納空間ＳＲは、例えば、フロントプレート１を相応に回動させることによって立方体状となるように構成してもよい。
【００５０】
収納空間ＳＲの可変性は、収納空間ＳＲに面するフロントプレート１の内側１Ｂにおける仮想矩形の四隅においてフロントプレート１に連結された４つのリンクチェーン２Ａ，２Ｂ，３Ａおよび３Ｂによって制御される。各リンクチェーン２Ａ，２Ｂ，３Ａおよび３は、フロントプレート１に強固に連結された４つの関節要素１０．１，１０．２，１０．３および１０．４のうちの１つにおいてそれぞれ関節駆動される端部チェーンリンク２１または３１を有する。
【００５１】
本願において、４つのリンクチェーン２Ａ，２Ｂおよび３Ａ，３Ｂは、２つの（上側の）リンクチェーン２Ａおよび２Ｂを共通のｘｙ平面において互いに平行に展開し格納することができるように、互いに対して配置されている。また、これらの上側のリンクチェーン２Ａおよび２Ｂは、２つの更なる（下側の）リンクチェーン３Ａおよび３Ｂと平行に延びている。これらの下側のリンクチェーンも、同様に、共通のｘｙ平面において展開および格納が可能である。各リンクチェーン２Ａ，２Ｂおよび３Ａ，３Ｂのチェーンリンク２０または３０は、（関節接続部２０１または３０１によって）関節接続により互いに連結されていることにより、各リンクチェーン２Ａ，２Ｂ，３Ａ，または３Ｂの非展開部分自体が柔軟となる。しかし、展開状態において、それぞれのチェーンリンク２０または３０が互いに制止するように当接することにより、リンクチェーンの展開部分が（曲げ）剛性を有するので、各リンクチェーン２Ａ，２Ｂ，３Ａ，または３Ｂの展開部分は当接プレートＬからロッド状に突出して、当接プレートＬに対してフロントプレート１を所望の空間位置に保持することができる。リンクチェーン２Ａ，２Ｂ，３Ａおよび３Ｂにおいて展開されたチェーンリンク２０または３０を制止するように当接させるために、各チェーンリンク２０，３０に対して互いに張力を加える牽引ケーブルなどの牽引手段を設けて、展開状態にあるチェーンリンク２０，３０を互いに当接させてチェーンリンク２０，３０が互いに移動しないようにしてもよい。基本的に、展開されたときに剛体となりそれ以外の場合には柔軟なリンクチェーンは広く知られている。
【００５２】
駆動装置４Ａ，４Ｂ，５Ａおよび５Ｂは、外力によりリンクチェーン２Ａ，２Ｂ，３Ａおよび３Ｂの格納および展開を行う調節装置Ｖの一部である。この場合、各リンクチェーン２Ａ，２Ｂ，３Ａおよび３Ｂに対して、それぞれ１つの駆動装置４Ａ，４Ｂ，５Ａ，または５Ｂが割り当てられているので、各リンクチェーン２Ａ，２Ｂ，３Ａおよび３Ｂは、個別に、したがって他のリンクチェーンとは独立に調節可能である。各駆動装置４Ａ，４Ｂ，５Ａおよび５Ｂは、特に、チェーンハウジング４０Ａ，４０Ｂ，５０Ａ，または５０Ｂを有し、これらのチェーンハウジングに、それぞれ対応するリンクチェーン２Ａ，２Ｂ，３Ａ，または３Ｂの格納部分を収容することができる。
【００５３】
このとき、各チェーンハウジング４０Ａ，４０Ｂ，５０Ａおよび５０Ｂは、Ｌ字形に構成されている。したがって、Ｌ字形の各チェーンハウジング４０Ａ，４０Ｂ，５０Ａおよび５０Ｂ内において、対応するリンクチェーン２Ａ，２Ｂ，３Ａおよび３Ｂは、格納時に、個々のチェーンリンク２０または３０が互いに制止するように当接していないとき、約９０°偏向される。これにより、調節装置Ｖは、リンクチェーン２Ａ，２Ｂ，３Ａおよび３Ｂによって定められるフロントプレート１の調節経路が比較的長いにもかかわらず、比較的コンパクトな構造とすることが可能であり、ｘ軸に沿ってより短くすることで必要な設置スペースを小さくすることが可能である。
【００５４】
各チェーンハウジング４０Ａ，４０Ｂ，５０Ａ，または５０Ｂは、それぞれのリンクチェーン２Ａ，２Ｂ，３Ａ，または３Ｂの格納される部分を案内する案内ダクト４０２Ａ，４０２Ｂ，５０２Ａ，５０２Ｂを有するハウジング部４００Ａ，４００Ｂ，５００Ａ，または５００Ｂを構成している。本発明の場合、それぞれの案内ダクト４０２Ａ，４０２Ｂ，５０２Ａ，または５０２Ａの組み立てを容易とし、かつ汚れから保護するために、各ハウジング部４００Ａ，４００Ｂ，５００Ａ，または５００Ｂは、個別に取り付けることができるカバー４０１Ａ，４０１Ｂ，５０１Ａ，または５０１Ｂによって閉止されている。
【００５５】
取付装置４Ａ，４Ｂ，５Ａおよび５Ｂを当接プレートＬの後ろに望ましくはコンパクトに収容できるように、駆動装置４Ａ，４Ｂ，５Ａおよび５Ｂは互いに対として重ねて配置されている。したがって、２つの（上側の）駆動装置４Ａおよび４Ｂは、フロントプレート１をリンクチェーン２Ａ，２Ｂ，３Ａおよび３Ｂによって並進により調節することができる空間方向ｘに対して垂直に延びる空間方向ｚに沿って、２つの更なる（下側の）駆動装置５Ａおよび５Ｂの上方に配置されている。さらに、駆動装置の各対４Ａ，４Ｂおよび５Ａ，５Ｂにおいて、一方のチェーンハウジング４０Ａまたは５０Ｂは、少なくとも部分的に、他方のチェーンハウジング４０Ｂまたは５０Ａの周囲を延びている。さらに、チェーンハウジング４０Ａ，４０Ｂおよび５０Ａ，５０Ｂは、互いに部分的に傾斜して延びている。
【００５６】
本発明の場合、上側のチェーンリンク２Ａ，２Ｂおよび下側のチェーンリンク３Ａ，３Ｂのための駆動装置４Ａ，４Ｂおよび５Ａ，５Ｂは、同一の対として構成されている。換言すれば、上側のリンクチェーン２Ａおよび２Ｂの駆動装置４Ａおよび４Ｂは、下側のリンクチェーン３Ａおよび３Ｂの駆動装置５Ａおよび５Ｂと同じように構成されている。上側の駆動装置４Ａおよび４Ｂは、単に、１８０°回転させた状態で組み立てられているに過ぎない。したがって、合計４つのリンクチェーン２Ａ，２Ｂ，３Ａおよび３Ｂを外力により駆動する４つの駆動装置４Ａ／５Ｂ，４Ｂ／５Ａの種類は、２種類のみが必要とされる。
【００５７】
ここで、各駆動装置４Ａ，４Ｂ，５Ａおよび５Ｂは、チェーンハウジング４０Ａ，４０Ｂ，５０Ａ，または５０Ｂにそれぞれ固定された電動式の駆動部６Ａ，６Ｂ，７Ａ，または７Ｂを有する。各リンクチェーン２Ａ，２Ｂ，３Ａ，または３Ｂは、この電動式の駆動部６Ａ，６Ｂ，７Ａ，または７Ｂによって、それぞれのチェーンハウジング４０Ａ，４０Ｂ，５０Ａ，または５０Ｂから展開することができる。これにより、１つのリンクチェーン２Ａ，２Ｂ，３Ａ，または３Ｂのチェーンリンク２０，３０が、当接プレートＬにおける長手方向スロットＬＡ，ＬＷ，ＬＣ，またはＬＤの形態の対応する展開開口から押し出されるので、空間軸ｘに沿って前方に向かってフロントプレート１を調節することができる。空間軸ｘに沿って展開させるとき、収納空間ＳＲの容積は、図３に示されているような、フロントプレート１が当接プレートＬからあまり離れていない位置にあって当接プレートＬに対して実質的に平行である初期位置における容積よりも大きくなる。
【００５８】
例えば、上側のリンクチェーン２Ａ，２Ｂのみがこの初期位置から展開される場合、フロントプレート１は、下側のリンクチェーン３Ａおよび３Ｂが関節動作する下側の関節要素１０．３および１０．４を中心として（また、したがってこの要素に形成される下側の回動軸心を中心として）回動する。これにより、収納空間ＳＲが楔形または漏斗形に見えるように収納空間ＳＲの形状が変わるだけでなく、フロントプレート１の初期位置と比較すると収納空間ＳＲの容積も増大する。対照的に、下側のリンクチェーン３Ａ，３Ｂが空間軸ｘに沿って展開され、かつ上側のリンクチェーン２Ａおよび２Ｂが静止している場合またはより遅く展開された場合、フロントプレート１は、上側の関節要素１０．２および１０．１を中心として（また、したがってこの要素に形成される上側の回動軸心を中心として）回動する。これにより、任意で上側のリンクチェーン２Ａおよび２Ｂを静止させたまま、収納空間ＳＲへのアクセス開口を形成または大きくすることなく、収納空間ＳＲが増大される。このとき、基本的に、リンクチェーン２Ａ，２Ｂ，３Ａおよび３Ｂは、互いに非同期的に展開することも可能である。しかしながら、最終的には、全てのリンクチェーン２Ａ，２Ｂ，３Ａおよび３Ｂの調節を同期させることで、（すなわち、関節要素１０．１〜１０．４において回動動作を重畳させることなく）フロントプレート１を完全に並進させて調節することが可能である。
【００５９】
フロントプレート１を異なる第１調節位置へと調節して収納空間ＳＲの容積および／または形状を変更させることに加えて、本発明において、フロントプレート１は、調節装置Ｖの４つのリンクチェーン２Ａ，２Ｂ，３Ａおよび３Ｂを有するリンクチェーン駆動部によって、図２Ａおよび図２Ｂに示された「テーブル位置」と呼ばれる第２調節位置へ調節することも可能である。このとき、フロントプレート１が、上側のリンクチェーン２Ａおよび２Ｂを静止させた状態で、２つの下側のリンクチェーン３Ａおよび３Ｂによって上方へ回動されることにより、フロントプレート１の外側１Ａは、フロントプレート１によって形成されるテーブルの一部として配置面を形成する。このとき、フロントプレート１が、２つの下側のリンクチェーン３Ａおよび３Ｂによって、上側のリンクチェーン２Ａ，２Ｂの端部チェーンリンク２１を中心として回動されることにより、フロントプレート１は実質的に水平に延び、当該フロントプレート１の外側１Ａに物を置くことが可能となる。
【００６０】
フロントプレート１を２つの下側のリンクチェーン３Ａ，３Ｂによって上方に回動させてテーブル位置とするために、下側のリンクチェーン３Ａ，３Ｂの駆動装置５Ａおよび５Ｂは、当接部分５１Ａおよび５１Ｂによって当接プレートＬに対して回転可能に取り付けられている。このとき、２つの駆動装置５Ａおよび５Ｂの各当接部分５１Ａおよび５１Ｂは、回転軸受ジャーナル５１０Ａまたは５１０Ｂを構成している。また、チェーンハウジング５０Ａおよび５０Ｂを含む２つの駆動装置５Ａおよび５Ｂは、２つの回転軸受ジャーナル５１０Ａ，５１０Ｂによって、当接プレートＬに対して回転軸心Ｄ２を中心として回転可能に取り付けられている。当接プレートＬにおいて長手方向スロットＬＣおよびＬＤとして構成されているリンクチェーン３Ａおよび３Ｂ用の展開開口により、各リンクチェーン３Ａおよび３Ｂは、定められた角度範囲において当接プレートＬに対して斜めに展開することも可能である。したがって、リンクチェーン３Ａおよび３Ｂは、当接プレートＬに対して実質的に垂直に展開できるだけでなく、当接プレートＬに対して９０°から例えば４５°の範囲、特に、９０°から６０°の範囲において可変角度で展開させることも可能である。
【００６１】
さらに、駆動装置５Ａおよび５Ｂを回転可能に取り付けることにより、上側および下側のリンクチェーン２Ａ，２Ｂ，３Ａおよび３Ｂが異なる度合いで展開された場合の異なる空間的配置にも対応できる。これに関し、駆動装置４Ａおよび４Ｂは、任意で、当接部分４１Ａおよび４１Ｂに構成された回転軸受ジャーナル４１０Ａおよび４１０Ｂによって、当接プレートＬに対して回転可能に取り付けることも可能である。
【００６２】
基本的に、収納空間ＳＲの容積はユーザが制御することで可変に調節可能である。よって、ユーザは、所望する空間要件に応じて、４つのリンクチェーン２Ａ，２Ｂ，３Ａおよび３Ｂの格納や展開を行うことによって収納空間ＳＲの大きさを設定することができる。
【００６３】
代替的または付加的に、前記収納空間の容積を自動的に適合できるようにしてもよい。このため、図３に係る調節装置Ｖは、例えば、当接プレートＬに少なくとも１つのセンサ要素９Ａを備える。この場合、このセンサ要素９Ａによって、例えば、収納空間ＳＲの収容状態を検出することができ、それに応じて、収納空間ＳＲの大きさを自動的に適合させることができる。このため、センサ要素９Ａは、容量的または光学的に動作し、フロントプレート１の現在の調節位置において利用可能な収納空間ＳＲのうちのどの程度が使用されているのかを特定することが可能である。これにより、更なる物品を収容できるようにするために、または収納コンパートメントの空間要件を小さくするために、収納空間ＳＲの容積を適宜増大または減少させる必要があるのかどうかを、センサによって検出することができる。
【００６４】
このとき、センサ要素９Ａは、例えば、センサ要素９Ａが受信した測定信号に対する評価ロジックを有するセンサ装置ＳＥに接続されている。収納空間ＳＲの容積を自動的に適合させるために、センサ装置ＳＥの評価ロジックによって収容状態が特定されたとき、センサ装置ＳＥは、それに応じて駆動装置４Ａ，４Ｂ，５Ａおよび５Ｂの駆動部６Ａ，６Ｂ，７Ａ，および７Ｂを動作させ、フロントプレート１を調節するためにリンクチェーン２Ａ，２Ｂ，３Ａおよび３Ｂの展開および／または格納を行う。
【００６５】
収納空間ＳＲの収容状態を検出するセンサ要素９Ａに代えて、またはそれに加えて、調節方向Ｖは、フロントプレート１にセンサ要素９Ｂを有していてもよく、これにより、ユーザが収納空間ＳＲにアクセスできるようにするための、かつ／または収納空間ＳＲを閉止するための、ユーザによる操作挙動を非接触で検出することができる。このとき、フロントプレート１に配置されるセンサ要素９Ｂの一部は、例えば、収納コンパートメントを開閉するためにフロントプレート１の外側１Ａの前で操作挙動として行われたユーザのジェスチャを容量的に検出する少なくとも１つの電極であってもよい。したがって、この場合、こうしたセンサ要素９Ｂは、駆動部６Ａ，６Ｂ，７Ａおよび７Ｂを制御するセンサ装置ＳＥに適宜接続されていてもよい。
【００６６】
基本的に、単一のセンサ要素９Ａまたは９Ｂを設けて、フロントプレート１を調節するためにユーザが行うジェスチャ形式の操作挙動および収納空間の収容状態を検出することができる。この場合、各センサ要素９Ａおよび９Ｂは異なる操作モードで動作させることも可能であり、例えば、第１の操作モードではジェスチャによる制御を行い、第２の操作モードでは収容状態に応じてフロントプレート１を自動的に調節するように使用することが可能である。
【００６７】
好ましくは、駆動部６Ａ，６Ｂ，７Ａおよび７Ｂは電動の駆動部であり、ギアボックスユニットによって、リンクチェーン２Ａ，２Ｂ，３Ａおよび３Ｂのチェーンリンク２０，３０に作用して、これらのリンクチェーンを調節する。この場合、各駆動部６Ａ，６Ｂ，７Ａ，または７Ｂはウォームギヤ機構に結合されており、例えば、対応するリンクチェーン２Ａ，２Ｂ，３Ａ，または３Ｂを格納および展開するために各駆動部６Ａ，６Ｂ，７Ａ，または７Ｂによって発生される駆動トルクを変換する。したがって、図４に例示的に示されている駆動部６Ｂまたは７Ａは、ウォームＲの形態の歯車要素によって、回転可能に取り付けられた駆動要素８のウォームギヤ８０にそれぞれ作用する。このとき、駆動要素８にチェーンリンク歯車８１が設けられており、ウォームギヤ８０に対して回転可能に固定されている。このチェーンリンク歯車８１は、チェーンリンク２０または３０の歯状駆動面２００または３００と噛み合う。ウォームＲによってウォームギヤ８０にトルクが伝達されることにより、チェーンリンク歯車８１が、２つの考え得る回転方向の一方に回転されるので、チェーンリンク歯車８１と噛み合うチェーンリンク２０または３０は、案内ダクト４０２Ｂ，５０２Ａに沿って一方または他方の方向に押し出される。また、それに続くチェーンリンク２０および３０が同様にチェーンリンク歯車８１と噛み合うことにより、チェーンリンク歯車８１の回転動作が生じ、回転方向に応じて、各リンクチェーン２Ａ，２Ｂ，３Ａ，または３Ｂが格納または展開される。
【００６８】
また、図５の平面図によって示されているように、上側または下側のリンクチェーンの対２Ａ／２Ｂまたは３Ａ／３Ｂに対して専用の駆動部６Ａ，６Ｂ，７Ａ，７Ｂを用いることにより、リンクチェーンの対２Ａ／２Ｂおよび３Ａ／３Ｂのリンクチェーン２Ａ，２Ｂまたは３Ａ，３Ｂを非同期的に調節することも可能である。これにより、フロントプレート１は、空間軸ｙと平行に延びる回動軸心を中心として回動させ、空間軸ｘと平行に偏位させることができるだけでなく、上記２つの空間軸ｘおよびｙに対して垂直な空間軸ｚと平行に延びる更なる回動軸心を中心とした回動動作を行わせることも可能である。
【００６９】
したがって、リンクチェーン２Ａ，２Ｂ，３Ａおよび３Ｂを用いることにより、フロントプレート１は、収納空間ＳＲの形状および／または容積を適合させるために様々な方法で可変に調節可能である。さらに、収納コンパートメントの外側の視認面を形成するフロントプレート１は、上記のようにリンクチェーン２Ａ，２Ｂ，３Ａおよび３Ｂを用いることによって、調節方向Ｖを有する収納コンパートメントによって様々な（快適な）機能を得ることができるテーブル位置へも回動可能である。なお、この場合、フロントプレート１を図示されたように調節可能とするために、４つのリンクチェーン２Ａ，２Ｂ，３Ａおよび３Ｂを使用することは、当然ながら必須ではない。フロントプレート１を並進により調節可能および回動可能とすることは、例えば、２つのリンクチェーン（上側および下側リンクチェーン）によっても実現することができる。
【００７０】
さらに、一改良例において、例えば、収納空間用のインサートを固定し静止させる保持装置を、リンクチェーン２Ａ，２Ｂ，３Ａおよび３Ｂの展開部分および／または柔軟な側部Ｓ１およびＳ２に設けてもよい。このとき、例えば、ポーチ状またはバッグ状に構成され、かつ／または柔軟な側部Ｓ１およびＳ２と一体化したこのようなインサートは、収納コンパートメントが開放されたときに当接プレートＬから分離可能であってもよい。したがって、このインサートは、車両に搭載するかどうかにはかかわらず、搬送容器として使用可能である。
【００７１】
上記のようなインサート用の保持装置は、例えば、チェーンリンク２０，３０または複数のチェーンリンク２０，３０におけるフックによって形成することができ、対応するインサートをこのフックに掛けることができる。代替的または付加的に、用途に応じて、前記保持装置の一部としてリンクチェーン２Ａ，２Ｂ，３Ａおよび３Ｂならびに／またはフロントプレート１に前記インサートを固定するために、少なくとも１つの磁石を設けることも可能である。
【００７２】
少なくとも１つのリンクチェーン２Ａ，２Ｂ，３Ａ，または３Ｂに代えて、ラックを設けることも可能である。さらに、一変形例において、下側のチェーンリンク３Ａおよび３Ｂは、フロントプレート１に係合する１つのハサミ腕部または複数のハサミ腕部に変更することも可能である。基本的に、リンクチェーン２Ａ，２Ｂ，３Ａおよび３Ｂを有するリンクチェーン駆動部に代えて、収納空間ＳＲの容積を外部の力によって変化させるために、また、フロントプレート１を、当該フロントプレート１をテーブルトップとして使用することができるテーブル位置へと回動させるためにレバー機構を設けることができる。
【符号の説明】
【００７３】
１     フロントプレート／テーブルトップ（調節部）
１０．１，１０．２，１０．３，１０．４    関節要素
１Ａ   外側／配置面
１Ｂ   内側
２０   チェーンリンク
２００ 駆動面
２０１ 関節接続部
２１   端部チェーンリンク
２Ａ，２Ｂ    リンクチェーン（調節要素）
３０   チェーンリンク
３００ 駆動面
３０１ 関節接続部
３１   端部チェーンリンク
３Ａ，３Ｂ    リンクチェーン（調節要素）
４００Ａ，４００Ｂ   ハウジング部
４０１Ａ，４０１Ｂ   カバー
４０２Ａ，４０２Ｂ   案内ダクト
４０Ａ，４０Ｂ       チェーンハウジング
４１０Ａ，４１０Ｂ   回転軸受ジャーナル
４１Ａ，４１Ｂ       当接部分
４Ａ，４Ｂ    駆動装置
５００Ａ，５００Ｂ   ハウジング部
５０１Ａ，５０１Ｂ   カバー
５０２Ａ，５０２Ｂ   案内ダクト
５０Ａ，５０Ｂ       チェーンハウジング
５１０Ａ，５１０Ｂ   回転軸受ジャーナル
５１Ａ，５１Ｂ       当接部分
５Ａ，５Ｂ    駆動装置
６Ａ，６Ｂ    駆動部
７Ａ，７Ｂ    駆動部
８     駆動要素
８０   ウォームギヤ
８１   チェーンリンク歯車
９Ａ，９Ｂ    センサ要素
Ｄ１，Ｄ２    回転軸心
Ｌ     当接プレート（支持体）
ＬＡ，ＬＢ，ＬＣ，ＬＤ      長手方向スロット（展開開口）
Ｒ     ウォーム（ギヤ要素）
Ｓ１，Ｓ２    側部
ＳＥ   センサ装置
ＳＲ   収納空間
Ｖ     調節装置
【図１Ａ】
2020505274.tif 000003
【図１Ｂ】
2020505274.tif 000004
【図２Ａ】
2020505274.tif 000005
【図２Ｂ】
2020505274.tif 000006
【図３】
2020505274.tif 000007
【図４】
2020505274.tif 000008
【図５】
2020505274.tif 000009
【国際調査報告】
2020505274.tif 000010
2020505274.tif 000011
2020505274.tif 000012
2020505274.tif 000013
2020505274.tif 000014
2020505274.tif 000015
2020505274.tif 000016
2020505274.tif 000017
2020505274.tif 000018
2020505274.tif 000019